(57)【要約】【課題】情報提供装置に記録される情報をユーザが認識しやすいように提供でき、かつ情報提供装置に記録される情報をユーザに確実に認識させることができる情報提供システム、情報報知装置および情報提供装置を提供する。【解決手段】自動車などに搭載される情報報知装置２００は、制御部２０８の制御によって、ユーザが携帯電話機１００を携帯して自動車に乗り込み、イグニッションキーの状態をアクセサリーＯＮかエンジンを始動する状態し、そしてパーキングブレーキがＯＮ状態になっているか、入力部２０５を通じてユーザから要求があると、携帯電話機１００から情報報知装置２００のメモリ２０７に記録された情報が表示部２０４かあるいは発音部２０６を通じてユーザに提供されるようにしたものである。【選択図】      図３
2005294933.tif 000002
【特許請求の範囲】
【請求項１】
情報提供装置と情報報知装置とを備える情報提供システムであって、
前記情報提供装置は、
前記情報報知装置と無線通信する第１の通信手段と、
情報を記憶する記憶手段と、
この記憶手段が記憶する情報を前記情報報知装置に送信させるように、前記第１の通信手段を制御する第１の制御手段とを備え、
前記情報報知装置は、
前記情報提供装置と無線通信して、前記情報を受信する第２の通信手段と、
情報をユーザに報知する報知手段と、
前記第２の通信手段が受信した情報をユーザに報知するように前記報知手段を制御する第２の制御手段とを具備することを特徴とする情報提供システム。
【請求項２】
さらに、前記情報提供装置は、識別情報を記憶する第１の識別情報記憶手段を備え、
前記第１の制御手段は、前記記憶手段が記憶する情報を送信する制御を行う前に、前記第１の識別情報記憶手段が記憶する識別情報を前記情報報知装置に送信させるように、前記第１の通信手段を制御し、
さらに、前記情報報知装置は、識別情報を記憶する第２の識別情報記憶手段を備え、
前記第２の制御手段は、前記情報提供装置から受信した識別情報と、前記第２の識別情報記憶手段が記憶する識別情報とが一致する場合に、前記第２の通信手段が前記情報提供装置から情報を受信するように制御することを特徴とする請求項１に記載の情報提供システム。
【請求項３】
さらに、前記情報報知装置は、識別情報を記憶する第１の識別情報記憶手段を備え、
前記第２の制御手段は、前記情報提供装置から情報を受信する前に、前記第１の識別情報記憶手段が記憶する識別情報を前記情報提供装置に送信させるように、前記第２の通信手段を制御し、
さらに、前記情報提供装置は、識別情報を記憶する第２の識別情報記憶手段を備え、
前記第１の制御手段は、前記情報報知装置から受信した識別情報と、前記第２の識別情報記憶手段が記憶する識別情報とが一致する場合に、前記記憶手段が記憶する情報を前記情報報知装置に送信させるように、前記第１の通信手段を制御することを特徴とする請求項１に記載の情報提供システム。
【請求項４】
前記情報報知装置は、自動車に搭載されるものであって、さらに、前記自動車が停止していることを検出する停止検出手段を備え、
前記第２の制御手段は、前記停止検出手段が停止していることを検出した場合に、前記第２の通信手段が受信した情報をユーザに報知するように前記報知手段を制御することを特徴とする請求項１に記載の情報提供システム。
【請求項５】
さらに、前記情報報知装置は、前記第２の通信手段が受信した情報を記憶する情報記憶手段と、
この情報記憶手段がすでに記憶している情報を、前記第２の通信手段が受信した情報で更新する情報制御手段とを備えることを特徴とする請求項１に記載の情報提供システム。
【請求項６】
さらに、前記情報報知装置は、前記第２の通信手段が受信した情報を記憶する情報記憶手段と、
この情報記憶手段がすでに記憶している情報に加えて、前記第２の通信手段が受信した情報を追加して前記情報記憶手段に記録する情報制御手段とを備えることを特徴とする請求項１に記載の情報提供システム。
【請求項７】
前記記憶手段が記憶する情報は時刻情報を含むものであって、
さらに、前記情報報知装置は、時刻を計時する計時手段と、
前記第２の通信手段が受信した情報を記憶する情報記憶手段とを備え、
前記第２の制御手段は、前記情報記憶手段が記憶する情報に含まれる時刻情報と、前記計時手段が計時する時刻とを比較して、この比較した結果に応じて、前記情報記憶手段が記憶する情報をユーザに報知するように前記報知手段を制御することを特徴とする請求項１に記載の情報提供システム。
【請求項８】
情報提供装置と無線通信して、情報を受信する通信手段と、
情報をユーザに報知する報知手段と、
前記通信手段が受信した情報をユーザに報知するように前記報知手段を制御する制御手段とを具備することを特徴とする情報報知装置。
【請求項９】
さらに、識別情報を記憶する識別情報記憶手段を備え、
前記制御手段は、前記通信手段が前記情報提供装置から情報を受信する前に、識別情報を前記情報提供装置から受信するように前記通信手段を制御し、前記情報提供装置から受信した識別情報と、前記識別情報記憶手段が記憶する識別情報が一致する場合に、前記通信手段が前記情報提供装置から情報を受信するように制御することを特徴とする請求項８に記載の情報報知装置。
【請求項１０】
さらに、識別情報を記憶する識別情報記憶手段を備え、
前記制御手段は、前記通信手段が前記情報提供装置から情報を受信する前に、前記識別情報記憶手段が記憶する識別情報を前記情報提供装置に送信させるように、前記通信手段を制御することを特徴とする請求項８に記載の情報報知装置。
【請求項１１】
前記情報報知装置は、自動車に搭載されるものであって、
さらに、前記自動車が停止していることを検出する停止検出手段を備え、
前記制御手段は、前記停止検出手段が停止していることを検出した場合に、前記通信手段が受信した情報をユーザに報知するように前記報知手段を制御することを特徴とする請求項８に記載の情報報知装置。
【請求項１２】
さらに、前記通信手段が受信した情報を記憶する情報記憶手段と、
この情報記憶手段がすでに記憶している情報を、前記第２の通信手段が受信した情報で更新する情報制御手段とを備えることを特徴とする請求項８に記載の情報報知装置。
【請求項１３】
さらに、前記通信手段が受信した情報を記憶する情報記憶手段と、
この情報記憶手段がすでに記憶している情報に加えて、前記通信手段が受信した情報を追加して前記情報記憶手段に記録する情報制御手段とを備えることを特徴とする請求項８に記載の情報報知装置。
【請求項１４】
さらに、時刻を計時する計時手段と、
前記通信手段が受信した情報を記憶する情報記憶手段とを備え、
前記制御手段は、前記情報記憶手段が記憶する情報に含まれる時刻情報と、前記計時手段が計時する時刻とを比較して、この比較した結果に応じて、前記情報記憶手段が記憶する情報をユーザに報知するように前記報知手段を制御することを特徴とする請求項８に記載の情報報知装置。
【請求項１５】
情報を報知する情報報知装置と無線通信する通信手段と、
情報を記憶する記憶手段と、
この記憶手段が記憶する情報を前記情報報知装置に送信させるように、前記通信手段を制御する制御手段とを具備することを特徴とする情報提供装置。
【請求項１６】
さらに、識別情報を記憶する識別情報記憶手段を備え、
前記制御手段は、前記記憶手段が記憶する情報を送信する制御を行う前に、前記識別情報記憶手段が記憶する識別情報を前記情報報知装置に送信させるように、前記通信手段を制御することを特徴とする請求項１５に記載の情報提供装置。
【請求項１７】
さらに、識別情報を記憶する識別情報記憶手段を備え、
前記制御手段は、前記情報を送信する前に、識別情報を前記情報報知装置から受信するように前記通信手段を制御し、前記情報報知装置から受信した識別情報と、前記識別情報記憶手段が記憶する識別情報が一致する場合に、前記記憶手段が記憶する情報を前記情報報知装置に送信させるように、前記通信手段を制御することを特徴とする請求項１５に記載の情報提供装置。
【請求項１８】
さらに、ネットワークに接続される基地局と無線通信する基地局通信手段を備えることを特徴とする請求項１５に記載の情報提供装置。
【発明の詳細な説明】
【技術分野】
【０００１】
この発明は、例えば携帯電話機などのユーザが所持する機器に記憶される情報を他の機器を通じてユーザに提供する情報提供システム、情報報知装置および情報提供装置に関する。
【背景技術】
【０００２】
周知のように、近時、携帯電話機などの移動無線装置を用いて、ユーザは種々の情報を屋外にて容易に取得できるようになった。しかしながら、携帯電話機のような情報機器は小型であり、これに伴って搭載される表示部も小型であるため、取得した情報を視覚的に確認する場合、非常に見づらいという問題がある。
【０００３】
また情報機器をメモ代わりにして、ユーザが任意の情報を情報機器に入力しておいた場合、情報機器に情報を入力したこと自体を忘れてしまい、有効に活用できないという問題もあった。この問題は情報量が多くなるほど顕著になり、ユーザは報知されるべき情報の存在が認識しにくくなる。
【０００４】
これに対して従来は、例えば、自動車などの車載端末から通信ネットワークを介してサーバから情報を入手するものがある（例えば、特許文献１）。車載端末などで情報を取得する場合、表示部は携帯電話などより大きいため、見づらいという問題が解消できる。
【０００５】
しかしながら、このような情報提供システムでは、通信ネットワークを介して情報をユーザに提供するため、通信費用が必要であるばかりか、車載端末が基地局の無線ゾーン内にいるなど、ネットワークに接続可能な環境にあるのが前提であり、地下の駐車場や山間部などでは利用できないという問題があった。さらには、通信ネットワークを通じて個人情報を取得する場合には、セキュリティも問題となる。
【特許文献１】特開２００３−２１６６３７公報
【発明の開示】
【発明が解決しようとする課題】
【０００６】
従来では、携帯電話機のような情報機器を用いて情報を得る場合、表示部が小型であるために取得した情報を視覚的に認識しづらいという問題や、情報機器に記録される情報の存在を忘れてしまう虞が高く有効活用できないという問題があった。
【０００７】
この発明は上記の問題を解決すべくなされたもので、情報をユーザが認識しやすいように提供でき、かつ情報提供装置に記録される情報をユーザに確実に認識させることができる情報提供システム、情報報知装置および情報提供装置を提供することを目的とする。
【課題を解決するための手段】
【０００８】
上記の目的を達成するために、この発明は、情報提供装置と情報報知装置とを備える情報提供システムであって、情報提供装置は、情報報知装置と無線通信する第１の通信手段と、情報を記憶する記憶手段と、この記憶手段が記憶する情報を情報報知装置に送信させるように、第１の通信手段を制御する第１の制御手段とを備え、情報報知装置は、情報提供装置と無線通信して、情報を受信する第２の通信手段と、情報をユーザに報知する報知手段と、第２の通信手段が受信した情報をユーザに報知するように報知手段を制御する第２の制御手段とを具備して構成するようにした。
【発明の効果】
【０００９】
以上述べたように、この発明では、情報提供装置から情報報知装置に情報を送信し、情報報知装置が情報提供装置から受信した情報を報知手段によりユーザに報知するようにしている。
【００１０】
したがって、この発明によれば、情報提供装置に記憶される情報を、情報報知装置を通じてユーザに報知することができるので、情報をユーザが認識しやすいように提供でき、かつ情報提供装置に記録される情報をユーザに確実に認識させることができる情報提供システム、情報報知装置および情報提供装置を提供できる。
【発明を実施するための最良の形態】
【００１１】
以下、図面を参照して、この発明の一実施形態について説明する。  
この発明の一実施形態に係わる情報提供システムは、図１に示すように、携帯電話網に収容される無線基地局ＢＳと無線通信して音声通信やデータ通信を行う携帯電話機１００と、ユーザに対して音声や映像により情報を提供する情報報知装置２００とを備える。なお、ここでは、情報報知装置２００が自動車に搭載される場合を例に挙げて説明する。
【００１２】
図２に携帯電話機１００の構成を示す。この図に示すように携帯電話機１００は、主たる構成要素として、移動通信部１０１と、ＢＴ通信部１０２と、表示部１０３と、入力部１０４と、発音部１０５と、メモリ１０６と、制御部１０７とを備える。また図示しないが、動作用のバッテリや、送話音声を入力するマイクロホンや、受話音声や音楽を拡声出力するスピーカを備える。
【００１３】
移動通信部１０１は、基地局と無線通信を行うものであって、音声通信を行う場合には音声信号を、またデータ通信を行う場合には所定の手順にしたがってデータの送受信を行う。ＢＴ通信部１０２は、Bluetooth（Ｒ）などの近距離無線通信を行う通信方式により無線通信を行うものであって、後述する情報報知装置２００との間でデータの送受信を行う。
【００１４】
表示部１０３は、ＬＣＤ（Liquid Crystal Display）などを備えて、視覚的に情報を表示するものであって、画像（動画および静止画）やテキストなど種々の情報を表示する。入力部１０４は、複数のキースイッチからなり、これらのキースイッチを通じてユーザからの要求や情報入力を受け付けるものである。発音部１０５は、着信があった場合に呼び出し音やメロディを拡声出力したり、バイブレータによって振動を発生するものである。
【００１５】
メモリ１０６は、制御部１０７の制御プログラムや制御データ、情報報知装置２００と通信を行う際に用いる認証データ、電話帳データなどの他に、入力部１０４などを通じてユーザが作成した同期データや非同期データを記憶する。ここで、同期データの一例としては、スケジュールデータや買い物リストデータなどがあり、非同期データの一例としては、画像データや音声メッセージデータなどがある。
【００１６】
なお、これらのデータには、入力部１０４を通じたユーザからの指示に応じて、自動的に通知を行うか否かを示す自動通知設定フラグが付加されて、メモリ１０６に記録される。またスケジュールデータは、時刻情報と、この時刻にユーザに報知すべきデータが対応づけられたものである。
【００１７】
制御部１０７は、当該携帯電話機１００の各部を統括して制御するものであって、上記基地局を通じた無線通信制御、表示部１０３の表示制御、入力部１０４を通じた要求受付制御、発音部１０５を通じた呼び出し制御、入力部１０４を通じて入力されたテキストデータや、移動通信部１０１を通じて受信した画像や音声などのデータをメモリ１０６に記録する制御、図示しないマイクロホンを通じて入力された音声データをデータ化してメモリ１０６に記録する制御、またメモリ１０６に情報を記録する際に、そのデータを上記同期データあるいは非同期データとして記録する制御などを行なう。
【００１８】
また制御部１０７は、ＢＴ通信部１０２を制御して、情報報知装置２００との通信が可能な状態にあることを検出すると、メモリ１０６に記憶される認証データを情報報知装置２００に送信して、情報報知装置２００との間に通信リンクを開設し、メモリ１０６に記憶される同期データや非同期データ（それぞれ自動通知設定フラグを含む）を読み出して情報報知装置２００に送信する制御を行う。
【００１９】
図３に情報報知装置２００の構成を示す。この図に示すように情報報知装置２００は、主たる構成要素として、キースイッチ検出部２０１と、ＢＴ通信部２０２と、車両情報検出部２０３と、表示部２０４と、入力部２０５と、発音部２０６と、メモリ２０７と、制御部２０８とを備える。また図示しないが、自動車から動作電力の供給を受ける電源部などを備える。
【００２０】
キースイッチ検出部２０１は、自動車のイグニッションキーの状態を検出するものであって、例えば上記キーが上記自動車に搭載されるオーディオなどの機器に電力が供給されるアクセサリーＯＮ状態となっているか否かを判定し、これらの判定結果や検出結果を制御部２０８に通知する。
【００２１】
ＢＴ通信部２０２は、Bluetooth（Ｒ）などの近距離無線通信を行う通信方式により無線通信を行うものであって、前述の携帯電話機１００との間でデータの送受信を行う。  
車両情報検出部２０３は、上記自動車を制御するコンピュータや各部のセンサに接続され、このコンピュータやセンサから伝達される情報より、パーキングブレーキのＯＮ／ＯＦＦ状態、ドアの開閉状態、ドアのロック状態、エンジンのＯＮ／ＯＦＦ状態などの情報が入力され、これらを検出し、制御部２０８に通知する。
【００２２】
表示部２０４は、ＬＣＤ（Liquid Crystal Display）などを備えて、視覚的に情報を表示するものであって、画像（動画および静止画）やテキストなど種々の情報を表示する。入力部２０５は、複数のキースイッチや回転式のスイッチからなり、これらのスイッチを通じてユーザからの要求や情報入力を受け付けるものである。発音部２０６は、音声やメロディを拡声出力するものである。
【００２３】
メモリ２０７は、制御部２０８の制御プログラムや制御データ、予め登録された携帯電話機１００の認証データなどの他に、携帯電話機１００から受信した同期データや非同期データを記憶する。
【００２４】
制御部２０８は、当該情報報知装置２００の各部を統括して制御するものであって、時刻を計時する制御機能を備えるとともに、ＢＴ通信部２０２を制御して、携帯電話機１００とデータ通信を行ったり、このデータ通信により取得した情報をメモリ２０７に記録したり、メモリ２０７に記録した情報にしたがって情報を表示部２０４に表示したり、発音部２０６を通じて音声やメロディを拡声出力する制御を行うものである。
【００２５】
次に、上記構成の情報提供システムの動作について説明する。図４は、情報報知装置２００の制御フローを示すものである。イグニッションキーの状態がアクセサリーＯＮ状態となっていることを検出し、この旨が制御部２０８に通知されると開始され、以後、エンジンが停止するか、アクセサリーＯＦＦ状態が検出されると、当該処理を終了する。
【００２６】
まずステップ４ａにおいて制御部２０８は、車両情報検出部２０３の検出結果に基づいて、パーキングブレーキがＯＮ（ブレーキがかかった状態）となっているか否かを判定する。ここで、パーキングブレーキがかかった状態の場合には、ステップ４ｄに移行し、一方、パーキングブレーキがかかっていない状態の場合には、ステップ４ｂに移行する。
【００２７】
ステップ４ｂにおいて制御部２０８は、入力部２０５を通じてユーザから情報の提供を求める要求があったか否かを判定する。ここで、入力部２０５を通じてユーザから情報の提供を求める要求があった場合には、ステップ４ｄに移行し、一方、ユーザから情報の提供を求める要求がなかった場合には、ステップ４ｃに移行する。
【００２８】
ステップ４ｃにおいて制御部２０８は、表示部２０４に情報を表示中の場合には情報の表示を停止し、ステップ４ａに移行する。ここで、情報を表示していない場合には、そのままステップ４ａに移行する。なお、発音部２０６を通じた聴覚的な情報の提供は停止しない。
【００２９】
ステップ４ｄにおいて制御部２０８は、メモリ２０７から情報（同期データや非同期データ）を読み出して、情報をユーザに提供する処理を実施し、ステップ４ｅに移行する。ここで、図５を参照して、この情報をユーザに提供する処理について詳述する。
【００３０】
まずステップ５ａにおいて制御部２０８は、メモリ２０７に記録された同期データや非同期データに付加された自動通知設定フラグを参照し、自動通知設定がなされたデータがあるか否かを判定する。ここで、自動通知設定がなされたデータがある場合には、ステップ５ｂに移行し、一方、自動通知設定がなされたデータがない場合には、ステップ５ｃに移行する。
【００３１】
ステップ５ｂにおいて制御部２０８は、メモリ２０７に記録されるデータのうち、自動通知設定がなされたデータを読み出す。そして読み出したデータが、静止画像や動画像、テキストデータであれば、これらのデータに基づく視覚的な情報を表示部２０４に表示し、音声や音楽のデータであれば、これらのデータに基づく聴覚的な情報を発音部２０６を通じて拡声出力し、ステップ５ｃに移行する。
【００３２】
ステップ５ｃにおいて制御部２０８は、現在の時刻を検出し、ステップ５ｄに移行する。  
ステップ５ｄにおいて制御部２０８は、メモリ２０７に記録されるデータのうち、スケジュールデータの時刻情報を参照し、ステップ５ｃで検出した時刻に基づいて、ユーザに報知すべきスケジュールデータがあるか否かを判定する。ここで、ユーザに報知すべきスケジュールデータがある場合には、ステップ５ｅに移行し、一方、ユーザに報知すべきスケジュールデータがない場合には、当該処理を終了し、ステップ４ｅに移行する。
【００３３】
ステップ４ｅにおいて制御部２０８は、ＢＴ通信部２０２を制御して、携帯電話機１００のＢＴ通信部１０２から断続的に送信される信号の受信を試み、近隣に存在する携帯電話機１００を探索する。
【００３４】
ステップ４ｆにおいて制御部２０８は、ＢＴ通信部２０２がＢＴ通信部１０２から送信される信号を受信して携帯電話機１００を検出した場合には、ステップ４ｇに移行し、一方、ＢＴ通信部２０２がＢＴ通信部１０２から送信される信号が受信できず携帯電話機１００を検出できない場合には、ステップ４ａに移行する。
【００３５】
ステップ４ｇおいて制御部２０８は、ＢＴ通信部２０２を制御して、携帯電話機１００のＢＴ通信部１０２と通信し、携帯電話機１００に対して認証データを送信するように要求し、ステップ４ｈに移行する。これに対して携帯電話機１００は、メモリ１０６が記憶する認証データを読み出して、ＢＴ通信部１０２を通じて、上記認証データを情報報知装置２００に送信し、これをＢＴ通信部２０２が受信して制御部２０８に出力される。
【００３６】
ステップ４ｈにおいて制御部２０８は、ＢＴ通信部２０２が受信した認証データと、メモリ２０７が記憶する認証データとを比較して、両者が一致するか否かを判定する。ここで両者が一致する場合には、ステップ４ｉに移行し、一方、両者が一致しない場合には、ステップ４ａに移行する。
【００３７】
ステップ４ｉにおいて制御部２０８は、ＢＴ通信部２０２を制御して、携帯電話機１００との間に通信リンクを開設し、この通信リンクを通じた情報取得処理を実施する。ここで、図６を参照して、携帯電話機１００から情報を取得する処理について詳述する。
【００３８】
まずステップ６ａにおいて制御部２０８は、上記通信リンクを通じて、携帯電話機１００に同期データを要求する。これに対して、携帯電話機１００の制御部１０７は、メモリ１０６から同期データを読み出し、この同期データを上記通信リンクを通じて情報報知装置２００に送信する。このようにして送信された同期データを、制御部２０８はＢＴ通信部２０２を制御して受信し、ステップ６ｂに移行する。
【００３９】
ステップ６ｂにおいて制御部２０８は、すでにメモリ２０７が記憶している同期データを、携帯電話機１００から新たに受信した同期データで上書き（更新）することで、メモリ２０７が記憶している同期データをメモリ１０６に記憶される同期データと同期させ、ステップ６ｃに移行する。
【００４０】
ステップ６ｃにおいて制御部２０８は、上記通信リンクを通じて、携帯電話機１００に非同期データを要求する。これに対して、携帯電話機１００の制御部１０７は、メモリ１０６から非同期データを読み出し、この非同期データを上記通信リンクを通じて情報報知装置２００に送信する。このようにして送信された非同期データを、制御部２０８はＢＴ通信部２０２を制御して受信し、ステップ６ｄに移行する。  
ステップ６ｂにおいて制御部２０８は、携帯電話機１００から新たに受信した非同期データをメモリ２０７に追加記録し、当該処理を終了して、ステップ４ａに移行する。
【００４１】
以上のような制御を情報報知装置２００が行っていることより、ユーザが携帯電話機１００を携帯して自動車に乗り込み、イグニッションキーの状態をアクセサリーＯＮかエンジンを始動する状態し、そしてパーキングブレーキがＯＮ状態になっているか、入力部２０５を通じてユーザから要求があると、まず、以前に携帯電話機１００から情報報知装置２００のメモリ２０７に記録された情報が表示部２０４かあるいは発音部２０６を通じてユーザに提供されることになる（図４のステップ４ｄ）。
【００４２】
このため、上記構成の情報提供システムによれば、ユーザが以前に携帯電話機１００を通じて情報報知装置２００のメモリ２０７に記録しておいた情報が、自動車に乗り込むだけの通常の作業により提供されるので、携帯電話機１００に記録されていた情報を確実にユーザに認識させることができる。また情報の報知は、情報報知装置２００の表示部２０４や発音部２０６を通じて行われるため、ユーザは情報を認識しやすい。
【００４３】
またその後、情報報知装置２００と携帯電話機１００とが近距離無線通信を実施して、情報報知装置２００のメモリ２０７内の同期データが、携帯電話機１００のメモリ１０６内の同期データで更新されるとともに、上記メモリ２０７内の非同期データが上記メモリ１０６に追加記録される（図４のステップ４ｉ）。
【００４４】
このように、ユーザは特別な操作を行わなくても、携帯電話機１００のメモリ１０６に記憶されるデータにより情報報知装置２００のメモリ２０７が自動的に更新されたり、上記メモリ２０７に追加されるため、ユーザの手を煩わすことや、更新や追加を忘れることがない。
【００４５】
また表示部２０４を通じた視覚的な情報の報知は、パーキングブレーキを使用した状態に限られるため、安全性を損なうことがない。  
さらに携帯電話機１００と情報報知装置２００との直接的な無線通信であるため、通信費用の負担が生じたり、利用環境に制限を受けたり、さらには公衆の通信回線を使用しないためセキュリティ面も問題とならない。
【００４６】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４７】
その一例として例えば、上記実施の形態では、自動車に適用した場合を例に挙げて説明したが、情報報知装置２００として屋内に設置されるテレビジョンやパーソナルコンピュータ、その他の家庭用電化製品などを利用して、携帯電話機１００から情報を伝送して上述の機器で情報をユーザに報知するようにしてもよい。
【００４８】
また上記実施の形態では、自動通知設定がなされた情報が存在する場合（図５のステップ５ａ）や、現在の時刻に基づき報知すべきスケジュール情報が存在する場合（図５のステップ５ｄ）に、ステップ５ｂやステップ５ｅにおいて情報そのものをユーザに報知するようにしたが、これに代わって例えば、報知すべき情報がある旨を報知するようにし、その後、入力部２０５を通じたユーザの要求に応じて情報を報知するようにしてもよい。
【００４９】
さらに上記実施の形態では、携帯電話１００がメモリ１０６に記憶する認証データを情報報知装置２００に送信し、これに対して情報報知装置２００は、受信した認証データとメモリ２０７に記憶する認証データを比較して、両者が一致する場合に、携帯電話１００から情報を受信するようにした。すなわち、情報報知装置２００側で携帯電話１００が予め登録されたものであるか否かを確認して情報を受信するようにした。
【００５０】
これに対して例えば、情報報知装置２００が、携帯電話１００から情報を受信する前に、メモリ２０７に記憶する認証データを情報報知装置２００に送信し、これに対して携帯電話１００は、受信した認証データとメモリ１０６に記憶する認証データを比較して、両者が一致する場合に、情報報知装置２００に情報を送信するようにしてもよい。すなわち、携帯電話１００側で情報報知装置２００が予め登録されたものであるか否かを確認して情報を送信するようにしてもよい。
【００５１】
そして上記実施の形態では、パーキングブレーキのＯＮ／ＯＦＦ状態に基づいて、情報の報知を制御するようにしたが、ドアの開閉状態やドアのロック状態に応じて、情報の報知を制御するようにしてもよい。  
その他、この発明の要旨を逸脱しない範囲で種々の変形を施しても同様に実施可能であることはいうまでもない。
【図面の簡単な説明】
【００５２】
【図１】この発明に係わる情報提供システムの一実施形態の構成を示す図。
【図２】図１に示した情報提供装置の一実施形態として、携帯電話機の構成を示す回路ブロック図。
【図３】図１に示した情報報知装置の一実施形態の構成を示す回路ブロック図。
【図４】図３に示した情報報知装置の動作を説明するためのフローチャート。
【図５】図３に示した情報報知装置の動作を説明するためのフローチャート。
【図６】図３に示した情報報知装置の動作を説明するためのフローチャート。
【符号の説明】
【００５３】
１００…携帯電話機、１０１…移動通信部、１０２…ＢＴ通信部、１０３…表示部、１０４…入力部、１０５…発音部、１０６…メモリ、１０７…制御部、２００…情報報知装置、２０１…キースイッチ検出部、２０２…ＢＴ通信部、２０３…車両情報検出部、２０４…表示部、２０５…入力部、２０６…発音部、２０７…メモリ、２０８…制御部、ＢＳ…基地局。
【図１】
2005294933.tif 000003
【図２】
2005294933.tif 000004
【図３】
2005294933.tif 000005
【図４】
2005294933.tif 000006
【図５】
2005294933.tif 000007
【図６】
2005294933.tif 000008